(57)【要約】【課題】  傾斜計の読み取り精度を高める。【解決手段】  被測定面に対接させる基準面を底面として有する半円状のボディ１０に円弧状の内周面１０Ｗを有する液体収容室１０Ｒを設け、その液体収容室１０Ｒ内に補助目盛が付けられた円弧面を有するフロート１１とフロートより比重が大きい液体１３を封入し、ボディ１０の円弧状の外周面にその周方向に角度読み取り用の主目盛を付ける。補助目盛は主目盛の９目盛を１０等分するように形成する。【選択図】図１
2006162561.tif 000002
【特許請求の範囲】
【請求項１】
被測定面に対接させる基準面を有するボディと、
上記ボディに設けられた円弧状の内周面を有する液体収容室と、
上記液体収容室に封入された補助目盛が付けられたフロートと液体、
とを有し、上記液体収容室の外周面に上記フロートの補助目盛と対向して角度読み取り用の主目盛が設けられていることを特徴とする傾斜計。
【請求項２】
請求項１記載の傾斜計において、上記補助目盛は上記主目盛のピッチより小さいピッチの複数の目盛からなることを特徴とする傾斜計。
【請求項３】
請求項１記載の傾斜計において、上記補助目盛は一本の線であることを特徴とする傾斜計。
【請求項４】
請求項１乃至３のいずれか記載の傾斜計において、上記フロートは中空とされていることを特徴とする傾斜計。
【請求項５】
請求項１乃至３のいずれか記載の傾斜計において、上記フロートは上記液体より比重の小さいブロックで形成されていることを特徴とする傾斜計。
【請求項６】
請求項１乃至３のいずれか記載の傾斜計において、上記ボディは透明な材料により形成され、円弧壁と、その円弧壁の両端間に渡って延びる底板と、上記円弧壁と上記底板により囲まれる空間を両側から塞ぐ側壁とから構成され、それによって内側に上記液体収容室を形成していることを特徴とする傾斜計。
【請求項７】
請求項１乃至３のいずれか記載の傾斜計において、上記ボディは円弧状外周を有し、上記液体収容室は、上記ボディの円弧状外周に取り付けられた円弧状管内に形成されていることを特徴とする傾斜計。
【発明の詳細な説明】
【技術分野】
【０００１】
本発明は封入した液体を利用した傾斜計に関する。
【背景技術】
【０００２】
この分野の従来の傾斜計として、例えば特許文献１に示されているものを図８に示す。この従来例では、半円形ボディ１０のほぼ１／４円周に沿って形成された円弧状穴３内に１／４円弧をなす円弧状気泡管４が挿入されている。円弧状気泡管４内には液体７と気泡６が封入されており、円弧状気泡管４に沿って目盛シール８がボディ１０に貼り付けられている。
基準面２を測定対称面にと右折させて、気泡６の位置を目盛で読み取ることにより測定対称面の傾斜角を得ることができる。
【０００３】
この従来の傾斜計は気泡と目盛りの接点位置で傾斜角度を読み取るが、気泡の直径は目盛りの線の太さに比べて大きいので、気泡の中心が目盛に対しどの位置であるかを目視により判別するが難しく、読み取り誤差が生じ、しかもその読み取り誤差が目視判別ごとにばらつく欠点があった。また、傾斜計に液を注入し、気泡を形成する工程において気泡を形成するための気体注入量が多すぎると、気泡が楕円形になり、読み取りをさらに難しくする。このように、従来の傾斜計は読み取り精度が悪いものであった。
【特許文献１】実開平５−７１７１１号公報
【発明の開示】
【発明が解決しようとする課題】
【０００４】
この発明の目的は上記の欠点を改善し、読み取りが容易でかつ精度の高い傾斜計を提供することである。
【課題を解決するための手段】
【０００５】
この発明による傾斜計は、
被測定面に対接させる基準面を有するボディと、
上記ボディに設けられた円弧状の内周面を有する液体収容室と、
上記液体収容室に封入された補助目盛が付けられたフロートと液体、
とを有し、上記液体収容室の外周面に上記フロートの補助目盛と対向して角度読み取り用の主目盛が設けられている。
【発明の効果】
【０００６】
この発明によれば、ボディに設けられた円弧状の内周面を有する液体収容室に、補助目盛が付けられたフロートと液体を封入し、液体収容室の外周に角度読み取り用の主目盛が付けられている。そのため、主目盛の読み取りが容易であり、精度が高くなる。
【発明を実施するための最良の形態】
【０００７】
実施例１
図１はこの発明による傾斜計の実施例を示す。この傾斜計のボディ１０は一定幅を有しほぼ半円を形成する円弧壁１０Ａと、その円弧壁の幅と同じ厚さを有し、その周方向の一端と他端を平面で連結し基準面を規定する底板１０Ｂと、上記円弧壁１０Ａと底板１０Ｂで囲まれた空間を両側で塞ぐ２つの側壁１０Ｃとから構成されている。これら円弧壁１０Ａ，底板１０Ｂ，側壁１０Ｃにより形成される空間は液体収容室１０Ｒを形成している。円弧壁は必ずしも半円である必要は無い。ボディ１０内の液体収容室１０Ｒにはフロート１１が収容され、液体１３で満たされている。円弧壁１０Ａの外周面にはその周方向に一定ピッチで角度読み取り用の目盛（以下、主目盛と呼ぶ）が記された透明な目盛シート１２が粘着されている。
【０００８】
ボディ１０としては例えば透明なＡＢＳ樹脂を使用し、フロート１１としては着色されたＡＢＳ樹脂を使用することができる。液体１３は無色透明で、温度変化による粘度変化が小さく、ボディ１０の材質に対する表面張力が小さく濡れ性の高いものが好ましく、例えばシリコーンオイルを使用することができる。
フロート１１はほぼ四角柱状あるいは板状であり、その幅は、フロート１１がその長さ方向を軸として回転できないよう、ボディ１０の両側壁１０Ｃ間よりわずかに小さくされている。また、円弧壁１０Ａの内周面１０Ｗと対向するフロート１１の面（以下では上面と呼ぶ）は円弧壁１０Ａの内周面１０Ｗとほぼ同じ曲率の円弧曲面とされ、円弧壁１０Ａの内周面１０Ｗに沿って移動可能とされている。
【０００９】
フロート１１としては、図３Ａに断面を示すように内部を中空としてもよいし、液体１３より比重の小さい例えば発砲樹脂材料でフロート１１を形成する場合は、図３Ｂに断面で示すように、中空でないブロックを使用してもよい。
フロート１１の上面には円弧の長さ方向に一定ピッチの目盛（以下、補助目盛と呼ぶ）が形成されている。図３Ａに主目盛と対比して示すように、主目盛の１目盛の長さを最小単位長とすると、例えば９単位の長さ（目盛１０個間の長さ）を１０等分するピッチで補助目盛がつけられている。このようにすることにより、読み取り精度を１桁高くすることができる。即ち、補助目盛の１つとほぼ一致する主目盛の１つの読みが、主目盛の最小単位の１０分の１の位の端数の読みを与える。このように主目盛と異なるピッチの補助目盛を使用して主目盛の読み取り精度を高めることができること自体は周知のことである。
【００１０】
図３Ｂに主目盛と対比して示すように、補助目盛として、１本の線のみを使用してもよい。この場合でも従来技術における気泡と主目盛間の接点を読み取る場合より読み取りが容易になり、精度も高い。
実施例２
図１，２Ａ，２Ｂで示した実施例においては円弧壁１０Ａの曲率中心はほぼ底板１０Ｂの中央にある。この場合はフロート１１の周方向長さによる制限があるが、測定可能な傾斜角度の範囲はほぼ−９０度〜＋９０度の範囲に近い。それほど広い測定範囲を必要としない場合は、例えば図５に示すように、底板１０Ｂを円弧壁１０Ａの曲率中心Oxより円弧壁１０Ａ側になるように構成してもよい。
実施例３
図１，２Ａ，２Ｂ，５の実施例において、図に示すように、円弧壁１０Ａと底板１０Ｂ間の最大高さがフロート１１の長さより大きいと、フロート１１の上下が反転する可能性がある。これを防止するため、図６に示すように、円弧壁１０Ａの内周面１０Ｗと直径方向にフロート１１の長さより短い間隔Ｄを形成するように半円板部１０Ｄを底板１０Ｂと一体に形成してもよい。その場合、円弧壁１０Ａの内周面１０Ｗに沿ったフロート１１の移動時に液体１３が逆方向に移動できるようにフロート１１の下面と半円板部１０Ｄの外周面との間に適当な隙間を形成するよう間隔Ｄを決める必要がある。間隔Ｄをフロート１１の長さ方向と直角な断面の対角線長より小さくすれば、フロート１１がその長さ方向を軸として回転することは無いので、フロート１１と側壁１０Ｃ間の隙間を大きくして液体１３の移動を容易にしてもよい。
実施例４
上述の実施例ではボディ１０内に液体１３とフロート１１を封入する例を示したが、図７Ａ，Ｂに断面で示すように、フロート１１と液体１３が封入された液体収容室１０Ｒを円弧状管１５で形成し、その円弧状管１５を半円状のボディ１０の円弧状外周面に形成した収容溝１０Ｆに装着した構成でもよい。この場合、フロート１１はその長さ方向の軸が円弧状に湾曲し、その湾曲の内周側が適当な厚さで周方向に切り取られた形状をしており、その切り取り面と円弧状管１５の内周面との間に液体１３の通路１６を形成している。このフロート１１の上側には前述の実施例と同様に補助目盛がつけられている。一方、円弧状管１５の外側には主目盛が付けられている。主目盛としては、目盛が形成されたシールを円弧状管１５の外周面に貼り付けてもよいし、外周面に直接目盛を形成してもよい。
【００１１】
以上の説明から明らかなように、この発明による傾斜計は、被測定面に対接させる基準面を有するボディ１０に設けられた円弧状の内周面を有する液体収容室１０Ｒに、補助目盛が付けられたフロート１１と液体１３を封入し、液体収容室１０Ｒの外周に角度読み取り用の主目盛が付けられている。そのため、主目盛の読み取りが容易であり、精度が高くなる。
【図面の簡単な説明】
【００１２】
【図１】この発明による傾斜計の第１の実施例を示す斜視図。
【図２】Ａは図１の傾斜計の平面図、ＢはＡの断面図。
【図３】Ａは補助目盛の１例を主目盛と対比して示す図、Ｂは補助メモリの他の例を主目盛と対比して示す図。
【図４】Ａはフロートの一例を示す断面図、Ｂはフロートの他の例を示す断面図。
【図５】この発明の第２の実施例を示す断面図。
【図６】この発明の第３の実施例を示す断面図。
【図７】Ａはこの発明の第４の実施例を示す断面図、ＢはＡにおける垂直断面図。
【図８】従来の傾斜計の例を示す正面図。
【図１】
2006162561.tif 000003
【図２】
2006162561.tif 000004
【図３】
2006162561.tif 000005
【図４】
2006162561.tif 000006
【図５】
2006162561.tif 000007
【図６】
2006162561.tif 000008
【図７】
2006162561.tif 000009
【図８】
2006162561.tif 000010